(57)【要約】      （修正有）【課題】緯糸を良好に捕捉でき、かつ容易に位置決めし、さらに緯糸の抜けを良好に防止することができる気流式緯糸捕捉装置を提供する。【解決手段】インナーケース１２０とアウターケース１１０で構成され、織機の緯糸捕捉端と織機の緯糸捕捉装置２００の前に配置されるラッパ状の吸気部品３００を含み、インナーケース１２０とアウターケース１１０によって中空チャネル１５０が形成され、吸気部品３００の狭口端に気孔が設けられ、吸気部品３００の広口端の内側エッジに吸気部品３００の狭口端に向かう環状排気口１３０が設けられ、環状排気口１３０は中空チャネル１５０によってファンに接続する気孔に接続される。吸気部品の広口端は大きく、狭口端は小さいので、緯糸を良好に捕捉でき、かつ容易に位置決めし、さらに、高速気流は、緯糸の抜けを良好に防止する。【選択図】図３
0003219246.tif 000002
【実用新案登録請求の範囲】
【請求項１】
インナーケース（１２０）とアウターケース（１１０）で構成され、織機の緯糸捕捉端と織機の緯糸捕捉装置（２００）の前に配置されるラッパ状の吸気部品（３００）を含み、
前記インナーケース（１２０）と前記アウターケース（１１０）によって中空チャネル（１５０）が形成され、
前記吸気部品（３００）の狭口端に気孔（１００）が設けられ、前記吸気部品（３００）の広口端の内側エッジに前記吸気部品（３００）の狭口端に向かう環状排気口（１３０）が設けられ、
前記環状排気口（１３０）は前記中空チャネル（１３０）によってファンに接続する前記気孔（１００）に接続されることを特徴とする気流式緯糸捕捉装置。
【請求項２】
前記吸気部品（３００）の狭口端の内径は５cm以下であることを特徴とする請求項１記載の気流式緯糸捕捉装置。
【請求項３】
前記気孔（１００）の総吸気量は前記吸気部品（３００）の広口端の最大排気量以下であることを特徴とする請求項１記載の気流式緯糸捕捉装置。
【請求項４】
ファン（４００）を前記吸気部品（３００）の狭口端の内側に配置することを特徴とする請求項１記載の気流式緯糸捕捉装置。
【考案の詳細な説明】
【技術分野】
【０００１】
本考案は、紡織機械の分野に関し、特に、無杼織機に適用する気流式緯糸捕捉装置に関する。
【背景技術】
【０００２】
有杼織機は伝統的な織機を採用する。杼の体積が大きく、重く、繰り返して投射され、かつ、機器の振動が大きく、騒音が大きく、スピードが遅く、効率が低い。
【０００３】
無杼織機は有杼織機の後に誕生した新型の織機である。無杼織機は、軽く、振動が小さく、騒音が小さく、スピードが速く、効率が高いという利点を有し、速やかに織機の市場を占有した。無杼織機には、レピア織機、グリッパー織機、ウォータージェット織機、エアジェット織機などがある。そのうち、エアジェット織機の作業原理は以下の通りである。すなわち、媒質として空気を利用し、噴出された圧縮気流の緯糸に対する摩擦による牽引力で緯糸を牽引することにより、杼口を通過し、エアジェットによるジェット噴流で簡単に緯糸を牽引するという目的を達成する。緯糸に対する精確な捕捉は織布の品質に関わっている。
【考案の概要】
【考案が解決しようとする課題】
【０００４】
本考案は、上述の課題に鑑みてなされたものであり、その目的は、緯糸を捕捉する範囲を広げ、高い精度で緯糸を捕捉し、かつ緯糸の抜けを防止することができる気流式緯糸捕捉装置を提供することにある。
【課題を解決するための手段】
【０００５】
上述の課題を解決するために、本考案に係る気流式緯糸捕捉装置は、インナーケースとアウターケースで構成され、織機の緯糸捕捉端と織機の緯糸捕捉装置の前に配置されるラッパ状の吸気部品を含み、前記インナーケースと前記アウターケースによって中空チャネルが形成され、前記吸気部品の狭口端に気孔が設けられ、前記吸気部品の広口端の内側エッジに前記吸気部品の狭口端に向かう環状排気口が設けられ、前記環状排気口は前記中空チャネルによってファンに接続する前記気孔に接続されることを特徴とする。
【０００６】
本考案の好適な態様において、前記吸気部品の狭口端の内径は５cm以下である。
【０００７】
本考案の好適な態様において、前記気孔の総吸気量は前記吸気部品の狭口端の最大排気量以下である。
【０００８】
本考案の好適な態様において、前記気孔を前記吸気部品の狭口端の内側に配置する。
【０００９】
本考案は下記の効果を実現した。すなわち、気流は気孔から入り、中空チャネルを通過して環状排気口に入り、かつ吸気部品の狭口端に向かって速く流れ、また、高速の気流は緯糸を捕捉でき、緯糸捕捉装置が緯糸を捕捉するまで、吸気部品を通過するように緯糸を案内し、なお、吸気部品の広口端は大きく、狭口端は小さいので、緯糸を良好に捕捉でき、かつ容易に位置決めし、さらに、高速気流は、緯糸の抜けを良好に防止することができる。
【図面の簡単な説明】
【００１０】
【図１】本考案の実施例１に係る気流式緯糸捕捉装置の構造を示す概略図である。
【図２】本考案の実施例１に係る気流式緯糸捕捉装置の狭口端を示す概略図である。
【図３】本考案の実施例２に係る気流式緯糸捕捉装置の構造を示す概略図である。
【考案を実施するための形態】
【００１１】
以下、本考案について図面と実施例を参照しながら説明する。
【００１２】
図１は、本考案の実施例１に係る気流式緯糸捕捉装置の構造を示す概略図である。図１に示すように、本考案の実施例１に係る気流式緯糸捕捉装置は、インナーケース１２０とアウターケース１１０で構成され、織機の緯糸捕捉端と織機の緯糸捕捉装置２００の前に配置されるラッパ状の吸気部品３００を含み、前記インナーケース１２０と前記アウターケース１１０によって中空チャネル１５０が形成され、前記吸気部品３００の狭口端に気孔１００が設けられ、前記吸気部品３００の広口端の内側エッジに前記吸気部品３００の狭口端に向かう環状排気口１３０が設けられ、前記環状排気口１３０は前記中空チャネル１３０によってファンに接続する前記気孔１００に接続される。
【００１３】
前記気流式緯糸捕捉装置では、前記吸気部品３００の狭口端の内径は５cm以下であることにより、精確な捕捉に有利である。
【００１４】
前記気流式緯糸捕捉装置では、前記気孔１００の総吸気量は前記吸気部品３００の広口端の最大排気量以下であることにより、前記吸気部品３００内の気流をいつも同じ方向に沿って運動させ、乱流が発生しない。
【００１５】
前記吸気式緯糸捕捉装置は以下のように作動する。すなわち、気流は気孔１００から入り、中空チャネル１５０を通過して環状排気口１３０に入り、かつ吸気部品３００の狭口端に向かって速く流れ、また、高速の気流は緯糸１０を捕捉でき、緯糸捕捉装置２００が緯糸を捕捉するまで、吸気部品３００を通過するように緯糸１０を案内し、なお、吸気部品３００の広口端は大きく、狭口端は小さいので、緯糸１０を良好に捕捉でき、かつ容易に位置決めし、さらに、高速気流は、緯糸１０の抜けを良好に防止することができる。
【００１６】
実施例２
実施例１においては、気流は吸気部品３００を通過した後、循環利用されず、無駄になっていた。そこで、実施例２においては、図３に示すように、ファン４００を前記吸気部品３００の狭口端の内側に配置することにより、気流は吸気部品３００の狭口端を通過した後、ファン４００に吸引され、ループが形成されて、エネルギー消費を節約する。
【００１７】
以上の内容は本考案の好適な実施例に過ぎず、本考案を限定するためのものではない。本考案の範囲から逸脱しない限り、本考案に対する様々な変更、均等な置換及び改善等は、本考案の実用新案登録請求の範囲に属するものとする。
【図１】
0003219246.tif 000003
【図２】
0003219246.tif 000004
【図３】
0003219246.tif 000005